(57)【特許請求の範囲】
【請求項１】
広告露出サーバによるバナー広告提供方法であり、
前記広告露出サーバが、ユーザがコンピュータを用いてバナー広告提供サイトに接続すると、前記コンピュータに表示されるバナー広告窓に検索機能を有する検索入力窓をロードするステップと、
前記広告露出サーバが、前記検索入力窓および前記バナー広告窓に表示されるバナー広告を連動させるステップと、
前記広告露出サーバが、前記ロードされた検索入力窓を、前記コンピュータに表示される前記バナー広告窓に露出させるステップと、
を含み、
前記検索機能を有する検索入力窓をロードするステップは、前記バナー広告窓に前記検索機能を提供する検索サイトのユーザインターフェースをロードする形態で提供され、
前記検索機能を有する検索入力窓をロードするステップにおいて、前記検索入力窓に前記バナー広告と関連したキーワードをデフォルト値で提供することを特徴とする検索機能を備えたバナー広告提供方法。
【請求項２】
前記広告露出サーバが、前記バナー広告の露出回数をログ蓄積するステップと、
前記広告露出サーバが、前記ログ蓄積されたバナー広告の露出回数をレポート形態で提供するステップと、
をさらに含むことを特徴とする請求項１に記載の検索機能を備えたバナー広告提供方法。
【請求項３】
前記検索入力窓に入力された検索語に対する検索が実行された場合、前記コンピュータが、前記入力された検索語をエンコードして伝達するステップと、
前記広告露出サーバが、前記検索語と関連した情報を検索データベースで検索するステップと、
前記広告露出サーバが、前記検索データベースで検索された結果を露出するステップと、
を含むことを特徴とする請求項１に記載の検索機能を備えたバナー広告提供方法。
【請求項４】
前記バナー広告は、フラッシュバナー広告を含み、
前記検索入力窓に入力された前記検索語は、前記バナー広告内でエンコーディングされることを特徴とする請求項３に記載の検索機能を備えたバナー広告提供方法。
【請求項５】
前記検索データベースで検索された結果を露出するステップは、
前記バナー広告を提供するサイトで実行されることを特徴とする請求項３に記載の検索機能を備えたバナー広告提供方法。
【請求項６】
前記検索サイトを提供する検索システムが、前記検索実行回数をログ蓄積するステップと、
前記検索システムが、前記ログ蓄積された検索実行回数を提供するステップと、
をさらに含むことを特徴とする請求項３に記載の検索機能を備えたバナー広告提供方法。
【請求項７】
前記バナー広告がクリックされた場合、前記広告露出サーバが、前記バナー広告と関連した広告主サイトを露出するステップと、
前記広告露出サーバが、前記バナー広告のクリック回数をログ蓄積するステップと、
前記広告露出サーバが、前記ログ蓄積されたクリック回数を提供するステップと、
を含むことを特徴とする請求項１に記載の検索機能を備えたバナー広告提供方法。
【請求項８】
前記バナー広告窓に保証された広告の露出がない場合、
前記バナー広告窓にデフォルト広告を露出することを特徴とする請求項１に記載の検索機能を備えたバナー広告提供方法。
【請求項９】
請求項１〜８のうちのいずれか一項の方法を実行させるためのプログラムを記録したコンピュータ読み取り可能な記録媒体。
【請求項１０】
広告露出サーバを有し検索機能を備えたバナー広告提供システムであって、
前記広告露出サーバは、
ユーザがコンピュータを用いて前記バナー広告提供サイトに接続すると、前記コンピュータに表示される広告窓に前記検索機能を有する検索入力窓をロードし、前記検索入力窓および前記バナー広告窓に表示されるバナー広告を連動させるロード部と、
前記ロードされた検索入力窓を前記バナー広告を含むバナー広告窓に露出させるバナー広告露出部と、
を備え、
前記ロード部は、前記バナー広告窓に前記検索機能を提供する検索サイトのユーザインターフェースをロードする形態で前記検索入力窓を提供し、前記検索入力窓に前記バナー広告と関連したキーワードをデフォルト値で提供することを特徴とする検索機能を備えたバナー広告提供システム。
【請求項１１】
前記広告露出サーバは、
前記検索入力窓に入力された検索語に対する検索が実行される場合、前記入力された検索語をエンコードして伝達する検索語伝達部と、
前記検索語と関連した情報を検索データベースで検索する情報検索部と、
前記検索データベースで検索された結果を露出する情報露出部と、
を備えることを特徴とする請求項１０に記載の検索機能を備えたバナー広告提供システム。
【請求項１２】
前記バナー広告は、フラッシュバナー広告を含み、
前記検索語は、前記フラッシュバナー広告内でエンコードされることを特徴とする請求項１１に記載の検索機能を備えたバナー広告提供システム。
【請求項１３】
前記広告露出サーバは、前記バナー広告がクリックされた場合、前記バナー広告の広告主サイトを露出するサイト露出部をさらに備えることを特徴とする請求項１０に記載の検索機能を備えたバナー広告提供システム。
【請求項１４】
前記広告露出サーバは、
前記バナー広告露出回数、前記検索実行回数、および前記バナー広告クリック回数をログ蓄積するログ蓄積部と、
前記ログ蓄積されたバナー広告露出回数、検索実行回数、およびバナー広告クリック回数をレポート形態で提供するレポート提供部と、
をさらに備えることを特徴とする請求項１１または１３に記載の検索機能を備えたバナー広告提供システム。
【発明の詳細な説明】
【技術分野】
【０００１】
本発明は、検索機能を備えたバナー広告提供方法に関し、より詳細には、バナー広告を検索入力窓と連動することによってバナー広告機能および検索機能を共に実現できるようにした検索機能を備えたバナー広告提供方法に関する。
【背景技術】
【０００２】
現在、インターネットが日常生活の一部となるほどに広い範囲に渡って用いられながら、インターネットサイトを介した広告要求も急増している。インターネットサイトは、不特定多数の人が接続するという特性により、オフライン（Ｏｆｆ−Ｌｉｎｅ）でなされる広告に比べてより多くのユーザに示すことができるという長所がある。
【０００３】
このようなインターネットサイト上における広告形態のうち、バナー（Ｂａｎｎｅｒ）形態の広告が最も多く利用されている。バナー広告は、ウェブページの一定部分に広報しようとする内容をグラフィックイメージの形態で付着した広告の形態を意味する。まるで垂れ幕のような形をしていることからバナーという名称で呼ばれ、予め定められた規格に動画ファイルなどを用いて広告を出して所定の広告料を支払う形態である。バナー広告は、ＤＡ（Ｄｉｓｐｌａｙ  Ａｄｖｅｒｔｉｓｉｎｇ）とも呼ばれる。
【０００４】
このようなバナー広告は、広告効果を分析するために、バナー広告がユーザに示された回数や一定期間内にバナー広告のグラフィックがダウンロードされた回数などを計算して広告主に知らせることもできる。
【０００５】
初期には四角形状にドメインと事業内容を知らせるという単純な形態から始まったが、最近では動画を入れたりホームページを開けば画面に固定的に配置されるたりするなど多様化している。
【０００６】
このようなバナー広告は、一般的にＣＰＭ（Ｃｏｓｔ  Ｐｅｒ  Ｍｉｌｌ）の形態で販売される。ＣＰＭとは、１，０００回の広告露出に支払う広告費を意味するものであり、定額制広告を意味する。ＣＰＭが１００ウォンであれば、広告を１，０００回露出させるのにかかる広告費が１００ウォンであるという意味であり、通常はウェブページの最初の画面の上端や下端に現れるバナーの広告費を基準としている。Ｍｉｌｌは、ローマ数字で１，０００を示す。
【０００７】
しかしながら、このような従来のバナー広告は、広告機能を実行するだけで、その他の機能は提供しない。これにより、バナー窓に露出された広告コンテンツに対して特に関心がない者にとっては、バナー広告が効率的な広告手段にはならないという問題点がある。さらに、バナー広告を提供するインターネットサイトを用いる場合、所望しない場合にもブラウザ上にバナー広告が頻繁に現れるようになり、ユーザが煩わしく感じる場合も発生している。これにより、適切な広告効果を得ることができないだけでなく、むしろバナー広告の広告物およびその広告物と関連する会社に対するイメージが悪くなる場合も発生している。
【０００８】
最近、多くのポータルサイトは、多様な種類の検索サービスを提供しており、多くの人々がこのような検索サービスを用いて所定の情報を検索する。したがって、多くの人々が利用する検索サービス機能をバナー広告に適用することによって広告機能と検索機能を同時に実行し、広告効果を向上させることができるバナー広告が切に求められている。
【発明の概要】
【発明が解決しようとする課題】
【０００９】
本発明は、バナー広告を検索入力窓と連動することによってバナー広告機能および検索機能を共に実現できるようにした検索機能を備えたバナー広告提供方法を提供することを目的とする。
【００１０】
また、本発明は、前記検索機能を備えたバナー広告提供システムを提供することを他の目的とする。
【００１１】
本発明が解決しようとする技術的課題は、上述した技術的課題に制限されるものではなく、言及されていないさらに他の技術的課題は、下記の記載から当業者によって明確に理解されるであろう。
【課題を解決するための手段】
【００１２】
上述した技術的課題を解決するために、本発明の実施形態に係る検索機能を備えたバナー広告提供方法は、検索機能を有する検索入力窓をロードするステップと、前記ロードされた検索入力窓をバナー広告を含むバナー広告窓に露出させるステップとを含む。
【００１３】
前記検索機能を有する検索入力窓をロードするステップは、前記バナー広告窓に前記検索機能を提供する検索サイトのユーザインターフェース（ＵＩ）をロードする形態で提供することができる。
【００１４】
前記検索機能を有する検索入力窓をロードするステップにおいて、前記検索入力窓に前記バナー広告と関連したキーワードをデフォルト値で提供することができる。
【００１５】
本発明の実施形態に係る検索機能を備えたバナー広告提供方法は、前記バナー広告の露出回数をログ蓄積するステップと、前記ログ蓄積されたバナー広告の露出回数をレポート形態で提供するステップとをさらに含むことができる。
【００１６】
前記検索入力窓に入力された検索語に対する検索が実行された場合、前記入力された検索語をエンコードして伝達するステップと、前記検索語と関連した情報を検索データベースで検索するステップと、前記検索データベースで検索された結果を露出するステップとをさらに含むことができる。
【００１７】
前記バナー広告は、フラッシュバナー広告を含み、前記検索入力窓に入力された前記検索語は、前記バナー広告内でエンコードすることができる。
【００１８】
前記検索データベースで検索された結果を露出するステップは、前記バナー広告を提供するサイトで実行することができる。
【００１９】
前記検索データベースで検索された結果を露出するステップは、前記検索サイトで実行することができる。
【００２０】
本発明の実施形態に係る検索機能を備えたバナー広告提供方法は、前記検索実行回数をログ蓄積するステップと、前記ログ蓄積された検索実行回数を提供するステップとをさらに含むことができる。
【００２１】
本発明の実施形態に係る検索機能を備えたバナー広告提供方法は、前記バナー広告がクリックされた場合、前記バナー広告と関連した広告主サイトを露出するステップと、前記バナー広告のクリック回数をログ蓄積するステップと、前記ログ蓄積されたクリック回数を提供するステップとをさらに含むことができる。
【００２２】
前記バナー広告窓に保証された広告の露出がない場合、前記バナー広告窓にデフォルト広告を露出することができる。
【００２３】
他の技術的課題を解決するために、本発明の実施形態に係る検索機能を備えたバナー広告提供システムは、検索機能を備えたバナー広告提供システムにおいて、前記検索機能を前記バナー広告に連動する広告露出サーバを備え、前記広告露出サーバは、前記検索機能を有する検索入力窓をロードするロード部と、前記ロードされた検索入力窓を前記バナー広告を含むバナー広告窓に露出させるバナー広告露出部とを備える。
【００２４】
前記ロード部は、前記バナー広告窓に前記検索機能を提供する検索サイトのユーザインターフェースをロードする形態で前記検索入力窓を提供することができる。
【００２５】
前記ロード部は、前記検索入力窓に前記バナー広告と関連したキーワードをデフォルト値で提供することができる。
【００２６】
前記広告露出サーバは、前記検索入力窓に入力された検索語に対する検索が実行される場合、前記入力された検索語をエンコードして伝達する検索語伝達部と、前記検索語と関連した情報を検索データベースで検索する情報検索部と、前記検索データベースで検索された結果を露出する情報露出部とを備えることができる。
【００２７】
前記バナー広告は、フラッシュバナー広告を含み、前記検索語は、前記フラッシュバナー広告内でエンコードすることができる。
【００２８】
前記広告露出サーバは、前記バナー広告がクリックされた場合、前記バナー広告の広告主サイトを露出するサイト露出部をさらに備えることができる。
【００２９】
前記広告露出サーバは、前記バナー広告露出回数、前記検索実行回数、および前記バナー広告クリック回数をログ蓄積するログ蓄積部と、前記ログ蓄積されたバナー広告露出回数、検索実行回数、およびバナー広告クリック回数をレポート形態で提供するレポート提供部とをさらに備えることができる。
【００３０】
その他の実施形態の具体的な事項は、詳細な説明および添付の図面に含まれている。
【発明の効果】
【００３１】
本発明の実施形態に係る検索機能を備えたバナー広告提供方法によれば、次のような効果が１つまたはそれ以上存在する。
【００３２】
第１に、検索入力窓をバナー広告と連動することによって検索機能とバナー広告機能を共に実現することができ、これによって広告効果を極大化することができる。
【００３３】
第２に、バナー広告の露出回数およびクリック回数をロード蓄積して広告主にレポート形態で提供することで、バナー広告に対する保証を算出することができる。
【００３４】
第３に、検索入力窓を介した検索実行回数をロード蓄積して検索サイトに提供することで、該当検索語の検索照会回数に反映することができる。
【図面の簡単な説明】
【００３５】
【図１】本発明の実施形態に係る検索機能を備えたバナー広告提供方法を説明するためのフローチャートである。
【図２】本発明の実施形態に係る検索機能を備えたバナー広告提供方法において、検索入力窓を介して検索を実行した検索結果画面の一例を示す図である。
【図３】本発明の実施形態に係る検索機能を備えたバナー広告提供方法において、バナー広告窓にバナー広告を露出する過程の一例を示す図である。
【図４】本発明の実施形態に係る検索機能を備えたバナー広告提供システムを概略的に示す図である。
【図５】本発明の実施形態に係る検索機能を備えたバナー広告提供システムの広告露出サーバの構成を詳細に示すブロック構成図である。
【図６】本発明の実施形態に係る検索機能を備えたバナー広告提供システムのログ処理システムの構成を示すブロック構成図である。
【発明を実施するための形態】
【００３６】
本発明の利点および特徴、またはこれらを達成する方法は、添付の図面と共に詳細に後述する実施形態を参照することによって明確になるであろう。しかし、本発明は、以下で開示される実施形態に限定されるものではなく、異なる多様な形態によって実現されることができ、単に本実施形態は本発明の開示を完全なものとし、本発明が属する技術分野で通常の知識を有する者に発明の範疇を完全に知らせるために提供されるものであり、本発明は特許請求の範囲によってのみ定義される。明細書全般に渡り、同一参照符号は同一構成要素を示す。
【００３７】
図１は、本発明の実施形態に係る検索機能を備えたバナー広告提供方法を説明するためのフローチャートである。図１を参照すれば、まず、サイト上にバナー広告窓２００を提供するためにバナー広告２１０を製作する（Ｓ１０１）。このとき、バナー広告２１０は、フラッシュアニメーションを含むことができる。フラッシュアニメーションは、１９９７年に米国のマクロメディア社が作成した動画製作ソフトウェアフラッシュを用いて生成されたコンピュータアニメーションであり、主に線で描く。ファイルのサイズが一般動画の１６分の１に過ぎず、送信速度が速く、拡大してもイメージが壊れず、製作方法も簡単であるという長所がある。
【００３８】
この後、ユーザがコンピュータなどを用いてバナー広告２１０を提供するサイトに接続すれば、検索機能を有する検索入力窓２２０をバナー広告２１０を提供するバナー広告窓２００にロード（ｌｏａｄ）する（Ｓ１０２）。このとき、検索入力窓２２０は、バナー広告窓２００に検索機能を提供する検索サイトのユーザインターフェース（Ｕｓｅｒ  Ｉｎｔｅｒｆａｃｅ）をロードする形態で提供することが好ましい。
【００３９】
このような検索入力窓２００には、バナー広告２１０と関連したキーワードをデフォルトキーワードで提供して露出することができる。このとき、検索入力窓２２０には、デフォルトキーワードとしてバナー広告２１０と関連したキーワードを提供せずに、バナー広告２１０と関連のないキーワードを提供して露出することもできる。また、検索入力窓２２０には、デフォルトキーワードを含むキーワードが提供されないことにより、キーワードが検索入力窓２２０を介して何も露出されないこともある。
【００４０】
この後、広告データベースに登録された広告テンプレート（ｔｅｍｐｌａｔｅ）を介してバナー広告２１０をバナー広告窓２００にアップロード（ｕｐｌｏａｄ）する（Ｓ１０３）。このとき、バナー広告窓２００には、保証（ｇｕａｒａｎｔｅｅ）された広告が存在する場合には保証された広告をアップロードすることができ、保証された広告がない場合にはデフォルト広告をアップロードすることができる。デフォルト広告は、本発明の実施形態に係る検索機能を備えたバナー広告２１０を提供する会社と関連した広告とすることができる。
【００４１】
この後、バナー広告窓２００にバナー広告２１０を露出し、露出された回数をログ蓄積する（Ｓ１０４）。すなわち、バナー広告２１０が露出されるたびに既に蓄積されているバナー広告２１０の露出回数に１回ずつを追加してバナー広告２１０の露出回数をログ蓄積する。
【００４２】
この後、ユーザが検索入力窓２２０とバナー広告２１０が連動したバナー広告窓２００において、バナー広告２１０をマウスポインタでクリックして活性化させる場合（Ｓ１０５）、バナー広告２１０がクリックされた回数をログ蓄積した後（Ｓ１０６）、広告主サイトに移動して広告主サイトを露出させる（Ｓ１０７）。このとき、バナー広告２１０を活性化させる場合、上述したようにバナー広告２１０をマウスポインタでクリックすることによってバナー広告２１０を活性化させることもできるが、これに限定されず、バナー広告２１０にマウスポインタを一定時間乗せておくなどの方法によってもバナー広告２１０を活性化させることができる。
【００４３】
ここで、バナー広告２１０がマウスポインタでクリックされた回数をログ蓄積する場合、ユーザがバナー広告２１０をクリックするたびに既に蓄積されているバナー広告２１０のクリック回数に１回ずつを追加して、バナー広告２１０のクリック回数、すなわちバナー広告２１０の活性化回数をログ蓄積することができる。
【００４４】
一方、上述したように、バナー広告２１０にマウスポインタを一定時間乗せてバナー広告２１０を活性化させる場合にも、バナー広告２１０にマウスポインタが一定時間乗せられた回数をログ蓄積することができる。すなわち、バナー広告２１０にマウスポインタが一定時間乗せられた場合、ユーザがバナー広告２１０にマウスポインタを一定時間乗せるたびに、既に蓄積されているマウスポインタがバナー広告２１０に一定時間乗せられた回数に１回ずつを追加して、マウスポインタがバナー広告２１０に一定時間乗せられた回数、すなわちバナー広告２１０の活性化回数をログ蓄積することができる。
【００４５】
一方、ユーザが検索入力窓２２０に検索語を入力して検索を実行する場合（Ｓ１０８）、検索語入力窓２２０に入力された検索語をエンコードして（Ｓ１０９）、検索サーバに伝達する（Ｓ１１０）。このとき、検索語入力窓２２０に入力された検索語は、バナー広告２１０の好ましい実施形態であるフラッシュアニメーション内でエンコードして検索サーバに伝達することができ、別途の他の装置によってエンコードして検索サーバに伝達することもできる。ここで、検索入力窓２２０には、上述したように、バナー広告２１０と関連したキーワードをデフォルトキーワードで提供して露出することができる。また、前記検索サーバは、バナー広告２１０を提供するサイトまたは検索サイトとすることができ、バナー広告２１０の提供と共に検索することができるサイトとすることもできる。
【００４６】
この後、検索入力窓２２０を介して検索が実行された回数をログ蓄積し、ログ蓄積された検索実行回数を検索サイトを提供する検索システムを介して検索照会数に反映することができる（Ｓ１１１）。すなわち、検索入力窓２２０を介した検索照会数を検索システムを介した検索照会数と加算演算して検索システムの検索照会数に反映することができる。
【００４７】
例えば、「ネイバー（ＮＡＶＥＲ）」という検索語を検索入力窓２２０を介して検索する場合、検索入力窓２２０を介して「ネイバー」という検索語が検索実行された回数と検索システムを介して検索実行された回数とを加えて検索システムに反映する。これにより、検索システムは、反映された検索照会数に基づいて「ネイバー」という検索語に対する検索照会数を算出することができる。
【００４８】
この後、検索サーバは、検索入力窓２２０を介して入力された検索語と関連した情報を検索サイトまたはバナー広告提供サイトを介して露出させる（Ｓ１１２）。このとき、検索サーバは、検索入力窓２２０を介して入力された検索語と関連した情報を優先順位に基づいて露出させるが、検索入力窓２２０を介して入力された検索語と完全に一致する情報を最優先順位として露出させることができる。
【００４９】
ところが、もし検索入力窓２２０を介して入力された検索語と完全に一致する情報がない場合、検索サーバは、検索語と最も関連の深い情報を最優先順位として露出させることができる。一方、検索入力窓２２０に検索語が入力されない状態で検索が実行された場合には、検索結果がないというメッセージを含むウェブページを検索サイトまたはバナー広告提供サイトを介して露出させることができる。
【００５０】
検索サーバは、上述したように、検索サイトまたはバナー広告提供サイトとすることができ、検索サイトとバナー広告提供サイトを兼ねるサイトとすることもできる。
【００５１】
図２は、本発明の実施形態に係る検索機能を備えたバナー広告提供方法において、検索入力窓を介して検索を実行した検索結果画面の一例を示す図である。
【００５２】
図２を参照すれば、バナー広告窓２００には、バナー広告２１０と検索入力窓２２０が連動して共に実現されている。このように実現されたバナー広告窓２００の検索入力窓２２０に検索語を入力して検索実行ボタン２２２をマウスポインタでクリックすれば、検索サイトのウェブページ２３０を介して検索入力窓２２０に入力された検索語と関連した情報を露出させる。
【００５３】
ここで、検索入力窓２２０に「現代カード」という検索語が入力されているが、このような場合にユーザが検索実行ボタンをクリックすれば、「現代カード」と関連した情報が検索サイトまたはバナー広告提供サイトを介して露出される。このとき、「現代カード」という検索語と一致する現代カードウェブサイトが最優先順位で検索サイトのウェブページ２３０に露出される。すなわち、現代カードのウェブサイトが、最も多くのユーザの注目を引くことができるウェブページの最上端に位置するようになる。
【００５４】
図３は、本発明の実施形態に係る検索機能を備えたバナー広告提供方法において、バナー広告窓にバナー広告を露出する過程の一例を示す図である。
【００５５】
図３を参照すれば、まず、バナー広告窓に保証されたバナー広告を露出するか否かを決定する（Ｓ３０１）。このとき、保証されたバナー広告は、ＣＰＭの形態で販売されたバナー広告であり、ＣＰＭとは１，０００回の広告露出に支払う広告費を意味するものであって、定額制広告を意味する。したがって、ＣＰＭが１００ウォンであれば、広告を１，０００回露出させるのにかかる広告費が１００ウォンであるという意味である。しかしながら、保証されたバナー広告は、ＣＰＭの形態以外の他の形態で販売されたバナー広告とすることもできる。
【００５６】
バナー広告の露出要否決定の結果、保証されたバナー広告がない場合、広告運営システム４００は、広告送信サーバ４１０にデフォルト広告の露出を命令する。これにより、広告送信サーバは、デフォルト広告をバナー広告窓に露出させる（Ｓ３０２）。
【００５７】
しかしながら、バナー広告の露出要否決定の結果、保証されたバナー広告がある場合、広告運営システム４００は、広告送信サーバ４１０に保証されたバナー広告の露出を命令する。これにより、広告送信サーバ４１０は、検索機能を有する検索入力窓およびバナー広告をバナー広告窓にロードして検索入力窓とバナー広告とを連動させ（Ｓ３０３）、バナー広告および検索入力窓が連動したバナー広告窓をサーバテンプレートにテンプレートとして登録して該当バナー広告のテンプレートを選択する（Ｓ３０４）。このとき、バナー広告および検索入力窓は、フラッシュ製作プログラムを用いて生成したフラッシュとすることができる。
【００５８】
この後、クライアントテンプレートに広告送信タグおよび露出タグを送信することにより（Ｓ３０５）、バナー広告提供サイトにバナー広告および検索入力窓を連動したバナー広告窓を露出する（Ｓ３０６）。
【００５９】
なお、本発明に係る検索機能を備えたバナー広告提供方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【００６０】
以下、本発明の実施形態に係る検索機能を備えたバナー広告提供システムについて説明する。
【００６１】
図４は、本発明の実施形態に係る検索機能を備えたバナー広告提供システムを概略的に示す図である。本実施形態では、ログ処理システム４２０が広告露出サーバ４１０と別途で構成されているが、広告露出サーバ４１０はログ処理システム４２０を含むことができる。
【００６２】
図４を参照すれば、広告運営システム４００は、広告露出サーバ４１０に広告露出を命令する。これにより、広告露出サーバ４１０は、広告運営システム４００からの広告露出命令にしたがって、検索入力窓２２０とバナー広告２１０とが連動したバナー広告窓２００をバナー広告提供サイトに露出させる。
【００６３】
このとき、広告露出サーバ４１０は、バナー広告窓２００がバナー広告提供サイトに露出された回数をログ処理システム４２０に送信する。これにより、ログ処理システム４２０は、広告露出サーバ４１０から送信された露出された回数をログ蓄積して広告データベース４３０に記録する。
【００６４】
一方、ユーザがバナー広告提供サイトに露出されたバナー広告窓２００においてバナー広告２１０をマウスポインタでクリックする場合、広告露出サーバ４１０は、クリックされたバナー広告２１０の広告主サイトをバナー広告２１０が露出されたウェブページまたは別途のウェブページを介して露出させる。しかしながら、広告露出サーバ４１０は、この他にもバナー広告窓２００を介してバナー広告２１０を露出させることもできる。
【００６５】
このとき、広告露出サーバ４１０は、バナー広告２１０がクリックされた回数をログ処理システム４２０に送信する。これにより、ログ処理システム４２０は、広告露出サーバ４１０から送信されたバナー広告２１０のクリック回数をログ蓄積した後、広告データベース４３０にログ蓄積されたバナー広告クリック回数を記録する。さらに、ログ処理システム４２０は、ログ蓄積されたバナー広告クリック回数を広告主４４０にレポート形態で提供する。
【００６６】
一方、ユーザが検索入力窓２２０を介して検索を実行する場合、広告露出サーバ４１０は、検索入力窓２２０に検索語が入力されて検索実行ボタン２２２がクリックされれば、検索入力窓２２０に入力された検索語と関連した情報を検索データベース４５０で検索し、検索結果をバナー広告提供サイトまたは検索サーバの検索サイトを介してウェブページに露出させる。
【００６７】
図５は、本発明の実施形態に係る検索機能を備えたバナー広告提供システムの広告露出サーバの構成を詳細に示すブロック構成図である。
【００６８】
図５を参照すれば、広告露出サーバ４１０は、ロード部５１０と、バナー広告露出部５２０と、検索語伝達部５３０と、情報検索部５４０と、情報露出部５６０と、サイト露出部５７０とを備える。
【００６９】
ロード部５１０は、検索機能を有する検索入力窓をバナー広告窓の所定領域にロードする。このとき、ロード部５１０は、検索機能を提供する検索サイトのユーザインターフェースをバナー広告窓にロードする形態で提供されることが好ましい。
【００７０】
ロード部５１０は、検索入力窓をバナー広告窓にロードする場合、バナー広告窓に表示されるバナー広告と関連したキーワードを検索入力窓にデフォルト値で提供する。一方、ロード部５１０は、検索入力窓をバナー広告窓にロードする場合、バナー広告窓に表示されるバナー広告と関連のないキーワードを検索入力窓にデフォルト値で提供することができ、検索入力窓にキーワードをデフォルト値で提供しないこともある。
【００７１】
バナー広告露出部５２０は、ロード部５１０によってロードにされた検索入力窓をバナー広告を含むバナー広告窓に露出させる。このとき、検索入力窓には、検索実行ボタンを備えることができる。一方、バナー広告は、フラッシュ製作プログラムを用いて製作されたフラッシュ広告とすることができる。フラッシュバナー広告は、検索入力窓に検索語を入力するとき、入力された検索語をエンコードして検索サーバ（図示せず）に送信することができる。バナー広告露出部５２０は、バナー広告が露出される回数を算出してログ処理システムのログ蓄積部（図６参照）に伝達することができる。
【００７２】
検索語伝達部５３０は、検索入力窓に入力された検索語に対する検索が実行される場合、入力された検索語をエンコードして検索サーバに伝達する。このとき、検索入力窓に入力された検索語は、上述したように、フラッシュバナー広告内でエンコードすることもできる。
【００７３】
情報検索部５４０は、検索語伝達部５３０から伝達された検索語と関連した情報を検索データベース５５０で検索する。情報検索部５４０は、検索データベース５５０で検索語関連情報を検索した場合には、検索された情報を優先順位にしたがって整列して情報露出部５６０に伝達するが、検索データベース５５０で検索語関連情報を検索することができなかった場合には、情報露出部５６０には情報が何もないというメッセージを伝達する。情報検索部５４０は、検索語に対する検索が実行される回数を算出してログ処理システムのログ蓄積部（図６参照）に伝達することができる。
【００７４】
情報露出部５６０は、情報検索部５４０が検索データベース５５０で検索した結果を露出する。すなわち、情報露出部５６０は、情報検索部５４０で検索語関連情報を検索した場合、優先順位にしたがって整列されている検索情報を検索結果として露出し、情報検索部５４０で検索語関連情報を検索することができなかった場合、情報検索部５４０から伝達したメッセージを受けて検索結果を何も露出しない。
【００７５】
このとき、情報露出部５６０は、検索データベース５５０で検索された結果をバナー広告を提供するサイトに露出したり検索サーバの検索サイトで露出したりすることが好ましい。
【００７６】
サイト露出部５７０は、バナー広告がマウスポイントなどによってクリックされた場合、バナー広告の広告主サイトを露出する。サイト露出部５７０は、バナー広告がマウスポイントなどによってクリックされた回数をログ処理システムのログ蓄積部（図６参照）に伝達することができる。
【００７７】
図６は、本発明の実施形態に係る検索機能を備えたバナー広告提供システムのログ処理システムの構成を示すブロック構成図である。
【００７８】
図６を参照すれば、ログ処理システム４２０は、ログ蓄積部６１０と、レポート提供部６２０とを備える。
【００７９】
ログ蓄積部６１０は、バナー広告の露出回数、検索実行回数、バナー広告クリック回数をログ蓄積する。すなわち、ログ蓄積部６１０は、図５のバナー広告露出部５２０、情報検索部５４０、およびサイト露出部５７０からそれぞれバナー広告の露出回数、検索実行回数、およびバナー広告クリック回数をログ蓄積する。
【００８０】
レポート提供部６２０は、ログ蓄積部６１０でログ蓄積されたバナー広告露出回数、検索実行回数、バナー広告クリック回数を１つまたは個別のレポート形態で提供する。
【００８１】
このように、本発明の実施形態に係る検索機能を備えたバナー広告提供方法およびシステムは、検索入力窓をバナー広告と連動することによって検索機能とバナー広告機能を共に実現することができ、これによって広告効果を極大化することができる。また、バナー広告の露出回数およびクリック回数をロード蓄積して広告主にレポート形態で提供することで、バナー広告に対する保証を算出することができる。さらに、検索入力窓を介した検索実行回数をロード蓄積して検索サイトに提供することで、該当検索語の検索照会回数に反映することができる。
【００８２】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図１】
0005452229.tif 000002
【図２】
0005452229.tif 000003
【図３】
0005452229.tif 000004
【図４】
0005452229.tif 000005
【図５】
0005452229.tif 000006
【図６】
0005452229.tif 000007